【手続補正書】
【提出日】令和2年12月17日(2020.12.17)
【手続補正１】
【補正対象書類名】明細書
【補正対象項目名】０１４２
【補正方法】変更
【補正の内容】
【０１４２】
いくつかの実施形態及びその変形形態を詳細に説明してきたが、それを使用する他の修正形態及び方法は当業者に明らかである。したがって、本明細書の独特かつ独創的な開示または特許請求の範囲から逸脱することなく、様々な適用、修正、材料、及び置換が等価物から成され得ることを理解されたい。
本件出願は、以下の態様の発明を提供する。
（態様１）
最上部及び最下部周縁部を有する最下部を有する第１層材料と、皮膚に接着するための前記最下部上の第１層接着剤とを含む第１層であって、固有弾性率を有する、前記第１層と、
前記第１層接着剤よりも侵襲的な第２接着剤であって、前記最下部周縁部にのみ沿っている、前記第２接着剤と
を含み、
前記第１層が、前記第１層の前記固有弾性率よりも低い有効弾性率を有する前記第１層をもたらす内部での複数の改質を含む、接着システム。
（態様２）
前記第１層が円形の形状を有する、態様１に記載の接着システム。
（態様３）
前記第１層における前記複数の改質が複数の穿孔である、態様１に記載の接着システム。
（態様４）
前記複数の穿孔が前記第１層の形状である、態様３に記載の接着システム。
（態様５）
前記複数の穿孔が、前記第１層の前記形状の複数の列の穿孔を形成する、態様４に記載の接着システム。
（態様６）
前記第１層における前記複数の改質が複数の穿孔である、態様２に記載の接着システム。
（態様７）
前記複数の穿孔がリングの形状である、態様６に記載の接着システム。
（態様８）
前記複数の穿孔が前記第１層に複数のリングを形成する、態様６に記載の接着システム。
（態様９）
前記接着システムに加えられた歪みが前記複数の穿孔を拡大させて、縁部の剥離を減少させる前記接着システムに対する応力を減少させる、態様６に記載の接着システム。
（態様１０）
前記第１層材料がスパンレース不織布材料である、態様１に記載の接着システム。
（態様１１）
前記第２接着剤が親水コロイドである、態様１に記載の接着システム。
（態様１２）
前記第２接着剤が親水コロイドである、態様１０に記載の接着システム。
（態様１３）
第２層であって、
第２層材料及び前記第１層に接着するための第２層接着剤であって、前記第２層は固有弾性率を有する、前記第２層材料及び前記第２層接着剤と、
前記第２層の固有弾性率よりも低い有効弾性率を有する前記第２層をもたらす内部での複数の改質と、
を含む、
前記第２層をさらに含む、態様１に記載の接着システム。
（態様１４）
最上部及び最下部周縁部を有する最下部と、皮膚に接着させるための前記最下部上の接着剤と、を含む円形スパンレース不織布材料であって、固有弾性率を有する前記スパンレース不織布材料と、
前記スパンレース不織布材料の前記最下部周縁部のみの周りの親水コロイドリングと
を含む接着システムであって、
前記スパンレース不織布材料が、前記スパンレース不織布材料の前記固有弾性率より低い有効弾性率を有する接着システムに前記接着システムを変換する複数の穿孔を含む複数のリングを含む、前記接着システム。
（態様１５）
最上部と最下部周縁部を有する最下部とを有する材料と、
少なくとも部分的に皮膚に接着するための前記最下部上の第１接着剤と、
第１の固有弾性率と、
前記第１の固有弾性率よりも低い有効弾性率を有する前記第１層をもたらす内部での複数の改質と、
前記第１接着剤よりも侵襲的であり、前記最下部周縁部のみに沿っている第２接着剤と、
を含む少なくとも１つの層
を含む接着システム。
（態様１６）
前記複数の改質が複数の穿孔である、態様１５に記載の接着システム。
（態様１７）
前記材料がスパンレース不織布材料である、態様１５に記載の接着システム。
（態様１８）
前記第２接着剤が親水コロイドである、態様１５に記載の接着システム。
（態様１９）
最上層材料及び最上層接着剤を有する最上層と、
第１の面と第２の面とを有する最下層材料と、前記第２の面上の最下層接着剤とを有する最下層と、
前記最上層と前記最下層の間にある複数の層であって、前記複数の層のそれぞれが層材料と層接着剤を有する、前記複数の層と、
前記最下層接着剤よりも侵襲的であり、前記最下層の前記第２の面の一部のみに配置された侵襲的な接着剤であって、皮膚に接着するための、前記侵襲的な接着剤と
を含む接着システムであって、
前記最上層、前記最下層及び前記複数の層のうちの少なくとも１つは、前記層の固有弾性率よりも低い有効弾性率を有する前記層をもたらす内部での複数の改質を含む、前記接着システム。
（態様２０）
前記複数の改質が複数の穿孔である、態様１９に記載の接着システム。
（態様２１）
前記侵襲的な接着剤が親水コロイド材料である、態様１９に記載の接着システム。
（態様２２）
検体センサと、
接着システムであって、
最上部及び最下部周縁部を有する最下部を有する第１層材料と、皮膚に接着するための前記最下部上の第１層接着剤とを含む第１層であって、固有弾性率を有する、前記第１層と、
前記第１層接着剤よりも侵襲的な第２接着剤であって、前記最下部周縁部にのみ沿っている、前記第２接着剤と
を含み、
前記第１層が、前記第１層の前記固有弾性率よりも低い有効弾性率を有する前記第１層をもたらす内部での複数の改質を含む、
前記接着システムと
を含む、医療機器。
（態様２３）
前記検体センサが、グルコース、ガラクトース、フルクトース、ラクトース、過酸化物、コレステロール、アミノ酸、アルコール、乳酸、及びこれらの混合物を含む群から選択された検体を感知する、態様２２に記載の医療機器。
（態様２４）
前記複数の改質が複数の穿孔である、態様２２に記載の医療機器。
（態様２５）
前記第１層材料がスパンレース不織布材料である、態様２２に記載の医療機器。
（態様２６）
前記第２接着剤が親水コロイドである、態様２２に記載の医療機器。
検体センサと、
少なくとも１つの層を含む接着システムであって、前記少なくとも１つの層が、
最上部及び最下部周縁部を有する最下部を有する材料と、
皮膚に少なくとも部分的に接着するための前記最下部上の第１接着剤と、
第１の固有弾性率と、
前記第１の固有弾性率よりも低い有効弾性率を有する前記第１層をもたらす内部での複数の改質と、
前記第１接着剤よりも侵襲的であり、前記最下部周縁部のみに沿っている第２接着剤と
を含む、前記接着システムと
を含む、医療機器。
（態様２７）
前記複数の改質が複数の穿孔である、態様２７に記載の医療機器。
（態様２８）
前記材料がスパンレース不織布材料である、態様２７に記載の医療機器。
（態様２９）
前記第２接着剤が親水コロイドである、態様２７に記載の医療機器。
（態様３０）
前記検体センサが、グルコース、ガラクトース、フルクトース、ラクトース、過酸化物、コレステロール、アミノ酸、アルコール、乳酸、及びこれらの混合物を含む群から選択された検体を感知する、態様２７に記載の医療機器。
（態様３１）
医療機器と、
接着システムであって、
最上部及び最下部周縁部を有する最下部を有する第１層材料と、皮膚に接着するための前記最下部上の第１層接着剤とを含む第１層であって、固有弾性率を有する、前記第１層と、
前記第１層接着剤よりも侵襲的な第２接着剤であって、前記最下部周縁部にのみ沿っている、前記第２接着剤と
を含み、
前記第１層が、前記第１層の前記固有弾性率よりも低い有効弾性率を有する前記第１層をもたらす内部での複数の改質を含む、
前記接着システムと
を含む、装置。
（態様３２）
前記医療機器が身体装着型医療機器である、態様３２に記載の装置。
（態様３３）
前記複数の改質が複数の穿孔である、態様３２に記載の装置。
（態様３４）
前記身体装着型医療機器は、治療薬を送達するためのポンプである、態様３３に記載の装置。
（態様３５）
前記第２接着剤が親水コロイドである、態様３２に記載の装置。
（態様３６）
医療機器と、
少なくとも１つの層を含む接着システムであって、前記少なくとも１つの層が、
最上部及び最下部周縁部を有する最下部を有する材料と、
皮膚に少なくとも部分的に接着するための最下部上の第１接着剤と、
第１の固有弾性率と、
前記第１の固有弾性率よりも低い有効弾性率を有する前記第１層をもたらす内部での複数の改質と、
前記第１接着剤よりも侵襲的であり、前記最下部周縁部のみに沿っている第２接着剤と
を含む、前記接着システムと
を含む、装置。
（態様３７）
前記複数の改質が複数の穿孔である、態様３７に記載の装置。
（態様３８）
前記第２接着剤が親水コロイドである、態様３７に記載の装置。
（態様３９）
前記医療機器が身体装着型医療機器である、態様３７に記載の装置。